(57)【要約】【課題】  写真シールを貼るノートや交換用の写真シールを持ち歩く必要をなくし、利用者が飽きないような写真撮影編集方法とそのシステムとその装置、及び携帯確認端末を提供し、利用者の満足度の向上とリピータの確保。【解決手段】  写真撮影編集システムとして、一以上の被写体を撮影して撮影画像を作成する撮影処理が実行可能な撮影手段と、該撮影画像、又は／及び写真撮影編集側通信手段で受信した受信画像といった編集対象画像を編集して編集画像を作成する編集処理が実行可能な編集手段と、所定の画像を送受信する通信処理が実行可能な写真撮影編集側通信手段とを備えた写真撮影編集装置、及び、前記所定の画像を前記写真撮影編集側通信手段と送受信する端末側通信手段と、受信した前記画像を記憶する記憶手段と、利用者の入力操作を受け付ける入力手段と、該入力操作に基づいて前記画像を表示する表示手段とを備えた携帯確認端末で構成した。【選択図】    図１
2005277634.tif 000002
【特許請求の範囲】
【請求項１】
撮影処理が実行可能な撮影手段と、編集処理が実行可能な編集手段と、通信処理が実行可能な写真撮影編集側通信手段とを備えた写真撮影編集装置が、
一以上の被写体を前記撮影手段で撮影して撮影画像を作成する前記撮影処理を許容し、
該撮影画像、又は／及び写真撮影編集側通信手段で受信した受信画像といった編集対象画像に、前記編集手段で編集されて編集画像が作成される前記編集処理を許容し、
所定の画像を前記写真撮影編集側通信手段で送受信する通信処理を実行し、
画像を送受信する端末側通信手段と、画像を記憶する記憶手段と、入力操作を受け付ける入力手段と、画像を表示する表示手段とを備えた携帯確認端末が、
前記所定の画像を前記端末側通信手段で前記写真撮影編集側通信手段と送受信し、
受信した前記画像を前記記憶手段で記憶し、
前記入力手段で利用者の入力操作を受け付け、
該入力操作に基づいて前記表示手段で前記画像を表示する
写真撮影編集方法。
【請求項２】
前記携帯確認端末により、
前記記憶手段に前記編集処理で使用可能な編集用画像を格納しておき、
前記通信手段で該編集用画像を送信し、
前記写真撮影編集装置により、
前記写真撮影編集側通信手段で前記編集用画像を受信し、
受信した編集用画像を前記編集処理で使用可能にする
請求項１記載の写真撮影編集方法。
【請求項３】
前記写真撮影編集装置により、
前記写真撮影編集側通信手段で送信する画像を画像変換手段でデータ量の小さいサムネイル画像に変換し、
上記サムネイル画像を前記写真撮影編集側通信手段で送信する
請求項１又は２記載の写真撮影編集方法。
【請求項４】
一以上の被写体を撮影して撮影画像を作成する撮影処理が実行可能な撮影手段と、
該撮影画像、又は／及び写真撮影編集側通信手段で受信した受信画像といった編集対象画像を編集して編集画像を作成する編集処理が実行可能な編集手段と、
所定の画像を送受信する通信処理が実行可能な写真撮影編集側通信手段とを備えた写真撮影編集装置、及び、
前記所定の画像を前記写真撮影編集側通信手段と送受信する端末側通信手段と、
受信した前記画像を記憶する記憶手段と、
利用者の入力操作を受け付ける入力手段と、
該入力操作に基づいて前記画像を表示する表示手段とを備えた携帯確認端末で構成した
写真撮影編集システム。
【請求項５】
前記携帯確認端末について、
前記記憶手段に前記編集処理で使用可能な編集用画像を格納し、
前記通信手段で実行する処理に該編集用画像の送信処理を設定し、
前記写真撮影編集装置について、
前記写真撮影編集側通信手段で実行する処理に前記編集用画像の受信処理を設定し、
前記編集手段で実行する前記編集処理に該編集用画像を使用可能に設定した
請求項４記載の写真撮影編集システム。
【請求項６】
前記写真撮影編集装置に、
前記写真撮影編集側通信手段で送信する画像をデータ量の小さいサムネイル画像に変換する画像変換手段を備え、
前記写真撮影編集側通信手段で送信する画像に、上記サムネイル画像を設定した
請求項４又は５記載の写真撮影編集システム。
【請求項７】
請求項１〜６のいずれか１つに記載の写真撮影編集方法又は写真撮影編集システムに使用する
写真撮影編集装置。
【請求項８】
請求項１〜６のいずれか１つに記載の写真撮影編集方法又は写真撮影編集システムに使用する
携帯確認端末。
【発明の詳細な説明】
【技術分野】
【０００１】
この発明は、例えば利用者を撮影してその撮影画像を編集して出力するような写真撮影編集方法とそのシステムとその装置、及び携帯確認端末に関する。
【背景技術】
【０００２】
従来、撮影した画像上に利用者が付属ペン・指・スタンプ等を用いて、任意あるいは所定の文字・図形等の書き込み、または編集をすることができる編集時間を設定し、それをシール紙等に印刷する写真撮影編集装置が存在している。
【０００３】
このような写真撮影編集装置は、特に女子高生に人気が高く、様々な種類の写真撮影編集装置で写真シールを作成し、これを友人と交換し合って自作のノートに多量に貼り付けるといったように利用されている。
【０００４】
しかし、ノートに貼り付ける写真シールは増加の一途であるため、ノートの最終ページまで埋め尽くすと、ノートを２冊持ち歩くか、あるいは新しいノートだけを持ち歩いて古いノートの写真シールは友人に見せるのをあきらめるかという選択を迫られることとなる。
【０００５】
また近年では、前述した編集機能をさらに充実させ、入力ペンやスタンプの種類により多くのアイテムやメニューを増やすことでアミューズメント性を高め、落書きペン・スタンプ等の太さ・大きさ・形・色等を細かく設定できるようにして提供されてきている。
【０００６】
しかし、アイテムやメニューが膨大に増加してくると、利用者は多くの選択肢の中から決定しなければならず、その結果、撮影画像全てに満足な編集を行うには時間が不足することが多くなってきている。特に、初めての利用者には操作が難しく、満足するプレイができないことが多くなってきている。
【０００７】
また、よく利用する利用者にとっては、撮影や編集のプレイの際に、画一的で単調になりがちなアナウンスを幾度も聞くこととなり、何度もプレイした写真撮影編集装置に飽きて、他の新しい写真撮影編集装置を利用するというのが現状であった。  
さらに、以前に作成した写真シールを再度加工するといったこともできなかった。
【０００８】
一方、編集画像の画像データを外部に送信する写真撮影編集装置として、ネットワークを介してデータ送信するものが提案されている（特許文献１、２参照）。  
そして、編集画像を携帯電話の待ち受け画面に利用することや、受信機からプリンタへ印刷することが提案されている。
【０００９】
【特許文献１】特開２００１−１４８８３９号公報
【特許文献２】特開平６−２３３０２０号公報
【発明の開示】
【発明が解決しようとする課題】
【００１０】
しかし、上述の発明は、利用者の自作のノートに代わるものを提案するようなものではなく、単に画像データが送信できるものでしかなかった。  
また、利用者に対してプレイに変化を与え、飽きないようにするものでもなかった。
【００１１】
この発明は、上述の問題に鑑み、写真シールを貼るノートや交換用の写真シールを持ち歩く必要をなくし、利用者が飽きないような写真撮影編集方法とそのシステムとその装置、及び携帯確認端末を提供し、利用者の満足度の向上とリピータの確保を図ることを目的とする。
【課題を解決するための手段】
【００１２】
この発明は、撮影処理が実行可能な撮影手段と、編集処理が実行可能な編集手段と、通信処理が実行可能な写真撮影編集側通信手段とを備えた写真撮影編集装置が、一以上の被写体を前記撮影手段で撮影して撮影画像を作成する前記撮影処理を許容し、該撮影画像、又は／及び写真撮影編集側通信手段で受信した受信画像といった編集対象画像に、前記編集手段で編集されて編集画像が作成される前記編集処理を許容し、所定の画像を前記写真撮影編集側通信手段で送受信する通信処理を実行し、画像を送受信する端末側通信手段と、画像を記憶する記憶手段と、入力操作を受け付ける入力手段と、画像を表示する表示手段とを備えた携帯確認端末が、前記所定の画像を前記端末側通信手段で前記写真撮影編集側通信手段と送受信し、受信した前記画像を前記記憶手段で記憶し、前記入力手段で利用者の入力操作を受け付け、該入力操作に基づいて前記表示手段で前記画像を表示する写真撮影編集方法又は写真撮影編集システムであることを特徴とする。
【００１３】
前記撮影手段は、デジタルカメラ又はデジタルビデオカメラで構成することを含む。  
前記写真撮影編集側通信手段は、携帯確認端末を接続する専用コネクタ若しくは汎用コネクタ、無線通信を行う無線通信手段、又は有線通信を行う有線通信手段等、携帯確認端末と通信可能な手段で構成することを含む。
【００１４】
前記編集手段は、利用者にタッチペン又は指でタッチされた座標を取得するタッチパネルやマウス等のポインティングデバイス（座標入力手段）で構成することを含む。
【００１５】
前記所定の画像は、前記撮影画像又は前記受信画像等の編集前の画像、又はこれら編集前の画像を編集手段で編集した編集画像、若しくは、前記編集前の画像又は／及び前記編集画像から選択された複数の画像で構成することを含む。
【００１６】
前記携帯確認端末は、専用端末で構成することを含む。  
前記端末側通信手段は、写真撮影編集を接続する専用コネクタ若しくは汎用コネクタ、無線通信を行う無線通信手段、又は有線通信を行う有線通信手段等、写真撮影編集と通信可能な手段で構成することを含む。
【００１７】
前記記憶手段は、ハードディスク等データを記憶する手段で構成することを含む。  
前記入力手段は、押下キーやタッチパネル等、入力が可能な手段で構成することを含む。  
前記表示手段は、液晶ディスプレイ等、静止画像や動画映像といった画像を表示する手段で構成することを含む。
【００１８】
前記構成により、携帯確認端末に画像を記憶し、利用者が従来使用していた写真シールを貼り付けた手帳のように使用し、画像を携帯確認端末に表示して見ることができる。
【００１９】
この発明の態様として、前記携帯確認端末により、前記記憶手段に前記編集処理で使用可能な編集用画像を格納しておき、前記通信手段で該編集用画像を送信し、前記写真撮影編集装置により、前記写真撮影編集側通信手段で前記編集用画像を受信し、受信した編集用画像を前記編集処理で使用可能にすることができる。
【００２０】
これにより、編集手段で編集を行う際に編集に使用できる画像が増加し、画像編集に対する利用者の満足度を向上させることができる。
【００２１】
またこの発明の態様として、前記写真撮影編集装置により、前記写真撮影編集側通信手段で送信する画像を画像変換手段でデータ量の小さいサムネイル画像に変換し、上記サムネイル画像を前記写真撮影編集側通信手段で送信することができる。
【００２２】
これにより、携帯確認端末で表示可能な画素数にあわせたサムネイル画像を携帯確認端末の記憶手段に記憶することができ、記憶できる画像数の向上、表示手段への表示速度の向上、送受信時の通信速度の向上を図ることができる。
【００２３】
またこの発明は、前記写真撮影編集方法又は写真撮影編集システムに使用する写真撮影編集装置とすることができる。  
これにより、利用者が自己の携帯確認端末を利用して、写真撮影編集装置から画像を受信するといったことができる。
【００２４】
またこの発明は、前記写真撮影編集方法又は写真撮影編集システムに使用する携帯確認端末とすることができる。  
これにより、利用者の所有する携帯確認端末に、写真撮影編集装置から画像を送信することができる。
【発明の効果】
【００２５】
この発明により、利用者の満足度を向上し、リピータの確保を図ることができる。
【発明を実施するための最良の形態】
【００２６】
この発明の一実施形態を以下図面と共に説明する。  
【実施例１】
【００２７】
まず、図１に示す編集写真作成システム１の斜視図、及び図２に示すリモコン１０の平面図と共に、編集写真作成システム１の外観構成について説明する。
【００２８】
編集写真作成システム１は、利用者を写真撮影して撮影画像に編集を許容した編集画像を写真シールシートとして印刷する写真シール作成装置２０と、画像データ等のデータを記憶して閲覧許容し画像収集端末として機能するリモコン１０とで構成する。
【００２９】
写真シール作成装置２０は、カーテン４２及び天板４１等の適宜の囲繞部材で周囲を囲繞した撮影空間４３の正面（奥側）に備える。
【００３０】
写真シール作成装置２０には、正面（手前側）の中央上部にカメラ２５を備え、その両横に照明装置２６，２６を左右対称に配設する。
【００３１】
写真シール作成装置２０の中央にはモニタ（表示手段）２７を備え、該モニタ２７にタッチパネル２４ｂを重ねて設けると共に、その両横にタッチペン２４ａ，２４ａを配設する。
【００３２】
写真シール作成装置２０の下方右側には、リモコン１０を接続するコネクタ３５を備える。  
写真シール作成装置２０の右側面下方には、コインの投入を受け付けるコイン投入口２２ａ、及び写真シールシートを放出して取り出し許容する写真シール取出し口２９ａを備える。
【００３３】
リモコン１０は、写真シール作成装置２０のコネクタ３５と接続する接続部１６を備える。
【００３４】
図２の正面図に示すように、リモコン１０の正面には、上から順に画像表示装置１３、十字キー（上ボタン１４ａ，左ボタン１４ｂ，下ボタン１４ｃ，右ボタン１４ｅ）、決定ボタン１４ｆ、電源ボタン１４ｇ、及び文字入力キー１４ｈを備える。
【００３５】
十字キーは、主に項目の選択、及び拡大表示した画像の表示位置移動等、方向性のある操作を許容するキーである。  
決定ボタン１４ｆは、主に十字キーでの選択や文字入力キー１４ｈでの入力を確定するためのボタンである。
【００３６】
電源ボタン１４ｇは、押下によって電源のＯＮ／ＯＦＦを切替えるボタンであり、取替え可能にリモコン１０の内部に備えた乾電池又は充電電池からの電源供給のＯＮ／ＯＦＦを切替える。  
文字入力キー１４ｈは、ひらがな、かたかな、アルファベット、数字、及び記号を複数のボタンに割当てて構成しており、文字入力を許容するキーである。
【００３７】
以上の構成により、利用者は写真シール作成装置２０でカメラ２５による写真撮影を行い、撮影画像に対してタッチペン２４ａでタッチパネル２４ｂをタッチして編集し、編集画像を印刷した写真シールシートを写真シール取出し口２９ａから取得することができる。
【００３８】
また、コネクタ３５にリモコン１０の接続部１６を接続することで、写真シール作成装置２０とリモコン１０の間で撮影画像や編集画像等の画像データの送受信を行うことができる。  
従って、利用者はリモコン１０で撮影画像や編集画像をいつでも閲覧することが可能となる。
【００３９】
次に、図３に示すブロック図と共に、編集写真作成システム１の構成について説明する。
【００４０】
編集写真作成システム１は、写真シール作成装置２０とリモコン１０とを、コネクタ３５（図１）及び接続部１６（図１）で接続して構成する。
【００４１】
リモコン１０は、ＣＰＵ、ＲＯＭ、及びＲＡＭで構成する制御装置１１に接続して、記憶装置１２、画像表示装置１３、及び入力装置１４を備えている。
【００４２】
記憶装置１２は、ハードディスク又は不揮発性メモリ等の記憶装置で構成しており、制御装置１１から受信した画像や個人情報等のデータを保存し、保存しているデータの制御装置１１による読み込みを許容する。
【００４３】
ここで記憶装置１２に保存するデータとしては、図４のデータ構成図に示すように、個人情報、編集アルバム、撮影アルバム、描画アルバム、スタンプアルバム、及び画像を設定している。
【００４４】
個人情報は、利用者の名前、生年月日、編集スキルを格納する一レコードのデータである。編集スキルは、利用者の落書き編集のスキルであり、初級、中級、上級の三段階のいずれか１つを格納する。
【００４５】
編集アルバムは、タイトル、撮影画像アドレス、及び描画画像アドレスを複数格納しており、撮影画像（写真画像）に描画画像を合成して完成した編集画像を取り出せるように保存している。
【００４６】
すなわち、撮影画像と描画画像とはレイヤ画像として保存しており、両画像のアドレスを格納しておくことで容易に合成して表示することができる。これにより、元の撮影画像や描画画像のみの閲覧も可能とすると共に、リモコン１０の記憶装置１２に格納する画像データのデータ量も最小限に抑えている。
【００４７】
撮影アルバムは、タイトル及び撮影画像アドレスを複数格納しており、撮影した撮影画像に編集を施す前の元画像を取り出せるように保存している。
【００４８】
描画アルバムは、タイトル及び描画画像アドレスを複数格納しており、撮影画像に編集を施した際の編集画像のみ、すなわち背景やスタンプやペン落書きといった描画画像のみを取り出せるように保存している。
【００４９】
スタンプアルバムは、タイトル及び画像編集時に使用するスタンプ画像のアドレスを複数保存している。
【００５０】
画像は、撮影画像、描画画像、及びスタンプ画像を複数保存している。編集画像を表示するような場合は、撮影画像と描画画像を編集終了時と同じ状態で合成して表示できるように保存している。
【００５１】
画像表示装置１３（図３）は、液晶モニタで構成し、制御装置１１から受信するＲＧＢ信号に従って文字や画像をカラーで表示する。  
入力装置１４は、図２と共に説明した十字キー（上ボタン１４ａ、左ボタン１４ｂ、下ボタン１４ｃ、右ボタン１４ｅ）、決定ボタン１４ｆ、電源ボタン１４ｇ、及び文字入力キー１４ｈで構成し、利用者によって押下されたボタンを入力信号として制御装置２３に送信する。
【００５２】
このリモコン１０の構成により、リモコン１０は利用者による入力装置１４の操作に基づいて、記憶装置１２に記憶しているデータを画像表示装置１３に表示することを可能としている。
【００５３】
写真シール作成装置２０は、ＣＰＵ、ＲＯＭ、及びＲＡＭで構成する制御装置２３に接続して、記憶装置２１、コイン処理装置２２、入力装置２４、カメラ２５、照明装置２６、モニタ２７、ＩＤタグリーダ／ライタ（識別手段）２８、及びプリンタ２９を備えている。
【００５４】
コイン処理装置２２は、投入されたコインの金種判別及び真偽判別を行い、予め定められた所定金額の投入を確認すると起動信号を制御装置２３に送信する。
【００５５】
入力装置２４は、タッチペン２４ａ（図１）及びタッチパネル２４ｂで構成し、タッチペン２４ａでタッチされたタッチパネル２４ｂの座標を入力信号として制御装置２３に送信する。
【００５６】
記憶装置２１は、制御装置２３から受信した設定情報を保存し、保存している設定情報の制御装置２３による読み込みを許容する。  
カメラ２５は、デジタルカメラ及びデジタルビデオカメラとして機能するＣＣＤカメラで構成しており、制御装置２３からシャッタ信号を受けて被写体である利用者の静止画像を撮影し、撮影画像を画像データとして制御装置２３に送信する。  
なお、撮影前のプレビュー確認等の際には、利用者の様子を動画像で撮影し、該動画像を画像データとして制御装置２３に送信する。
【００５７】
照明装置２６は、正面に白色半透明の拡散板を備えて他の内面を白色塗装の反射板で構成したボックス内にストロボ発光体と蛍光灯を備えて構成しており、制御装置２３から照明制御信号を受けて閃光又は点灯／消灯を行い、被写体である利用者を略均一に面光で照明する。
【００５８】
モニタ２７は、液晶モニタで構成し、制御装置２３から受信するＲＧＢ信号に従って文字や画像をカラーで表示する。
【００５９】
ＩＤタグリーダ／ライタ２８は、シール紙ユニット３０に備えたＩＤタグ（識別体）３１と非接触でデータ通信を実行する。制御装置２３から設定情報書き込み信号を受信してＩＤタグ３１に設定情報の書き込みを実行し、ＩＤタグ３１から読み込んだ設定情報を設定情報読み込み信号として制御装置２３に送信する。
【００６０】
プリンタ２９は、制御装置２３から受信する印刷データに従って、シール紙ユニット３０に備えたシール紙３２にカラー印刷を行う。  
なお、該シール紙３２は、印刷可能層の裏側に粘着層を備え、該粘着層に剥離紙で構成する剥離層を装着したシール紙等、貼付可能媒体で構成する印刷媒体としている。
【００６１】
この写真シール作成装置２０の構成により、写真シール作成装置２０は制御装置２３の制御に従って各装置を駆動し、撮影、編集、写真シールシートの印刷、及びリモコン１０とのデータ通信といった処理を実行することを可能としている。  
以上の構成の編集写真作成システム１により、リモコン１０と写真シール作成装置２０とで画像データ等のデータ通信を行うことができる。
【００６２】
次に、図５に示す写真シール作成装置２０の制御装置２３の動作を示す処理フロー図と共に、編集写真作成システム１の全体の動作について説明する。
【００６３】
制御装置２３は、利用者によってコイン投入口２２ａ（図１）に所定金額のコインが投入されるまで待機し（ステップｎ１）、所定金額のコインが投入されると、リモコン確認処理を実行する（ステップｎ２）。
【００６４】
図６の処理フロー図に示すように、リモコン確認処理ではまず利用者に対して、リモコン１０をコネクタ３５に接続するように案内する案内画面をモニタ２７に表示する（ステップｋ１）。
【００６５】
制御装置２３は、リモコン１０がコネクタ３５に接続されて認識できるか確認し（ステップｋ２）、認識できなければ予め定めた所定の制限時間である３０秒が経過するまでステップｋ１にリターンする（ステップｋ３）。
【００６６】
前記ステップｋ２でリモコン１０を認識した場合は、リモコンフラグをＯＮに設定してリモコン確認処理を終了する（ステップｋ４）。  
前記ステップｋ３で３０秒が経過した場合は、リモコンフラグがＯＦＦの状態のままリモコン確認処理を終了する。
【００６７】
このようにしてリモコン確認処理を完了すると、図５に示すように、制御装置２３は撮影前処理を実行する（ステップｎ３）。
【００６８】
図７の処理フロー図に示すように、撮影前処理ではまずリモコンフラグがＯＮか否かを判定し（ステップｍ１）、ＯＦＦであった場合は撮影前処理を終了する。
【００６９】
リモコンフラグがＯＮであった場合は、リモコン１０からデータを読み込むデータ読込処理を実行する（ステップｍ２）。
【００７０】
このデータ読込処理では、図８のイメージ説明図に示すように、個人情報内に格納されている編集スキルを参照し、編集スキルに格納されているレベル（初心者、中級者、上級者）を読み込む。
【００７１】
制御装置２３は、モニタ２７への文字表示と発音装置（図示省略）による音声アナウンスを開始し（ステップｍ３）、利用者の編集スキルに応じたシナリオに設定するシナリオ設定処理を実行する（ステップｍ４）。
【００７２】
シナリオ設定処理では、編集処理で利用できるアイテム数や編集時間、撮影枚数、撮影処理や編集処理でのアナウンス内容を編集スキルに合わせて設定する。  
設定の内容としては、例えば初心者であれば、図９の画面イメージ図に示すように、編集に使用できるアイテム数（図示の例ではオーロラペンの種類数）を登録数より少なく設定し、選択を容易にして選択に要する時間を短くするといったことを行う。
【００７３】
図示するオーロラペン選択画面２７２の場合では、オーロラペンの種類として１２種類を選択可能とし、また編集中の編集画像等を表示しないで利用者がオーロラペンの選択に集中できるようにしている。画面上には、利用者が操作可能な領域としてペン一覧表示部２７２ａのみを表示し、アナウンス表示部２７２ｂとして「ペンを押しつづけると色が変るよ」「１２種類あるよ」と、アイテムに関する説明文を解りやすく表示している。
【００７４】
また、撮影画像の枚数を少なくして１枚あたりの編集時間を長く設定する等、他の設定としても良い。
【００７５】
なお、この実施例では個人情報として登録されている編集スキルに基づいてシナリオ設定を変化させているが、図１０のイメージ図に示すように、編集アルバムに格納しているデータ量（又は利用頻度）で判断する設定としても良い。
【００７６】
判断基準としては、編集アルバムに格納している編集画像数が、例えば初心者データ数である１２以下であれば初心者と、例えば中級者データ数である１３以上４９以下であれば中級者と、上級者データ数である５０以上であれば上級者と判断する設定とすることができる。
【００７７】
このようにして撮影前処理（図５のステップｎ３）が終了すると、制御装置２３は撮影処理を実行する（ステップｎ４）。
【００７８】
撮影処理では、カメラ２５で撮影している動画映像をモニタ２７に動画表示して撮影ポーズのプレビュー確認を許容する。制御装置２３は、モニタ２７に表示している撮影ボタンがタッチされるか制限時間の経過によりカウントダウンを行い、このタイミングで照明装置２６のストロボ発光と共にカメラ２５による撮影を実行する。
【００７９】
このようにして、１枚又は複数枚の撮影画像を取得した後、制御装置２３は編集前処理を実行する（ステップｎ５）。
【００８０】
編集前処理では、図１１の処理フロー図に示すように、リモコンフラグがＯＮか否かを判定し（ステップｐ１）、ＯＮであればリモコン１０からデータを読み込むデータ読込処理を実行する（ステップｐ２）。
【００８１】
データ読込処理では、図１２に示す編集画像選択画面２７３をモニタ２７に表示する。編集画像選択画面２７３には、カメラ２５で撮影した撮影画像を撮影画像選択部２７３ａに表示すると共に、リモコン１０内の編集アルバムに記憶されている編集データを編集画像表示部２７３ｂに表示する。
【００８２】
なお、編集画像選択画面２７３の次へボタン２７３ｃは、編集画像表示部２７３ｂに表示するリモコン１０内の編集画像データを順番に切替えるボタンであり、決定ボタン２７３ｄは、選択された画像を編集対象として確定するボタンである。
【００８３】
この確定では、編集対象画像として１つを選択させることに限らず、複数の画像が選択された場合にも、選択された複数の画像について処理を確定することもできる。  
なお、前記ステップｐ１でリモコンフラグがＯＦＦであった場合は、そのまま編集前処理を終了する。
【００８４】
このようにして編集前処理（図５のステップｎ５）が実行されると、制御装置２３は編集処理を実行する（ステップｎ６）。  
編集処理では、図１３の編集画面２７４の画面イメージ図に示すように、画像編集枠２７４ｂに前述した編集前処理（ステップｎ５）で選択された編集対象画像を表示して編集を許容する。
【００８５】
また、アイテム表示部２７４ａには、前述した撮影前処理（ステップｎ３）で決定したシナリオ設定に従った数量で表示を行なう。  
この編集画面２７４で背景ブラシボタン２７４ｃがタッチされると、クロマキー処理して抜き取った利用者の背景部分に画像を描画できる背景アイテムをアイテム表示部２７４ａに表示する。
【００８６】
また、スタンプボタン２７４ｄがタッチされると、スタンプとして貼り付け可能に用意されているスタンプ画像をアイテム表示部２７４ａに表示する。  
また、ペンボタン２７４ｅがタッチされると、通常ペンやオーロラペンといったペンによりフリーハンドで図柄や文字を描けるペンツールをアイテム表示部２７４ａに表示する。
【００８７】
ＯＫボタン２７４ｆは編集を終了するボタンであり、クリアボタン２７４ｇは、タッチされるとそれまでの編集で描いた画像を全て削除し、元の撮影画像に戻すボタンである。
【００８８】
このようにして編集処理を終了すると、制御装置２３は、図５に示すように画像データ保存処理を実行する（ステップｎ７）。  
画像データ保存処理では、図１４の処理フロー図に示すように、制御装置２３はまずリモコンフラグがＯＮか否かを判定する（ステップｒ１）。
【００８９】
リモコンフラグがＯＮであれば、利用者にデータを保存するか否かを選択させる選択画面を表示し、データ保存が選択されると（ステップｒ２）、リモコン１０へ画像データを送信して保存するデータ保存処理を実行する（ステップｒ３）。
【００９０】
このとき、図１５の画面イメージ図に示すように、データ転送中通知画面２７５をモニタ２７に表示する。  
前記ステップｒ１、ｒ２でＮＯであった場合は、何もせずにデータ保存処理を終了する。
【００９１】
このようにして画像データ保存処理を実行すると共に、制御装置２３はこれに平行して印刷処理を実行する（ステップｎ８）。  
この印刷処理では、利用者に分割数を選択させ、選択された分割数に従って編集画像若しくは撮影画像を適宜の大きさ（又は指定された大きさ）で配置し、１枚の写真シールシートとして写真シール取出し口２９ａに放出する。
【００９２】
以上の動作により、利用者はリモコン１０を使用し、自己のレベルに応じたレベルのシナリオ設定でプレイすることができる。
【００９３】
編集処理の際には、過去にプレイしてリモコン１０に保存しておいた編集画像に対して編集処理を行うこともできるため、気に入っている編集画像に対して更に編集することや、気に入っている編集画像を写真シールシートに再印刷することができる。
【００９４】
さらに、作成された編集画像をリモコン１０に送信して記憶させることができるため、利用者は自作のノートに写真シールを貼り付けて管理せずとも、リモコン１０に編集画像を蓄積していつでも閲覧することができる。
【００９５】
次に、図１６に示すリモコン１０の制御装置１１の動作を示す処理フロー図と共に、リモコン１０の動作について説明する。
【００９６】
利用者によって電源ボタン１４ｇ（図２）が押下されると、制御装置１１は、まず図１７の画面イメージ図に示す初期メニュー画面１３１を表示する（ステップｓ１）。
【００９７】
初期メニュー画面１３１には、選択ボタン１３１ａとして個人情報、編集アルバム、撮影アルバム、描画アルバム、及びスタンプアルバムを縦並びに表示しており、図２に示した十字キーの上ボタン１４ａと下ボタン１４ｃで選択して決定ボタン１４ｆで確定する操作を許容する。
【００９８】
利用者によって個人情報が選択された場合は（ステップｓ２）、図１８の画面イメージ説明図に示す個人情報表示画面１３２を表示し（ステップｓ３）、ステップｓ１２に処理を進める。  
この個人情報表示画面１３２には、名前、生年月日、及び編集スキルを文字表示する。
【００９９】
図１６で利用者によって編集アルバムが選択された場合は（ステップｓ４）、編集アルバム表示画面１３３（図１８）を表示し（ステップｓ５）、ステップｓ１２に処理を進める。  
この編集アルバム表示画面１３３には、編集画像のタイトルを文字表示すると共に編集画像をカラー画像で表示する。
【０１００】
ここで表示する編集画像は、十字キーの上ボタン１４ａと下ボタン１４ｃで順番に切替えて表示することができ、最初は最新の編集画像を表示し、下ボタン１４ｃが押下されると順番に古い編集画像を表示する。
【０１０１】
利用者によって撮影アルバムが選択された場合は（ステップｓ６）、撮影アルバム表示画面１３４（図１８）を表示し（ステップｓ７）、ステップｓ１２に処理を進める。  
この撮影アルバム表示画面１３４には、撮影画像のタイトルを文字表示すると共に撮影画像をカラー画像で表示する。
【０１０２】
ここで表示する撮影画像も、前述した編集画像と同様に、十字キーの上ボタン１４ａと下ボタン１４ｃで順番に切替えて表示することができ、最初は最新の撮影画像を表示し、下ボタン１４ｃが押下されると順番に古い撮影画像を表示する。
【０１０３】
利用者によって描画アルバムが選択された場合は（ステップｓ８）、描画アルバム表示画面１３５（図１８）を表示し（ステップｓ９）、ステップｓ１２に処理を進める。  
この描画アルバム表示画面１３５には、描画画像のタイトルを文字表示すると共に描画画像をカラー画像で表示する。
【０１０４】
ここで表示する描画画像も、前述した編集画像と同様に、十字キーの上ボタン１４ａと下ボタン１４ｃで順番に切替えて表示することができ、最初は最新の描画画像を表示し、下ボタン１４ｃが押下されると順番に古い描画画像を表示する。
【０１０５】
利用者によってスタンプアルバムが選択された場合は（ステップｓ１０）、スタンプアルバム表示画面１３６（図１８）を表示し（ステップｓ１１）、ステップｓ１２に処理を進める。  
このスタンプアルバム表示画面１３６には、スタンプ画像のタイトルを文字表示すると共にスタンプ画像をカラー画像で表示する。
【０１０６】
ここで表示するスタンプ画像も、前述した編集画像と同様に、十字キーの上ボタン１４ａと下ボタン１４ｃで順番に切替えて表示することができ、最初は最新のスタンプ画像を表示し、下ボタン１４ｃが押下されると順番に古いスタンプ画像を表示する。
【０１０７】
このようにして利用者による記憶装置１２内のデータの閲覧を、電源ボタン１４ｇの押下で電源ＯＦＦとされるまで許容し（ステップｓ１２）、電源ＯＦＦとされると処理を終了する。
【０１０８】
以上の動作により、記憶装置１２に格納した個人情報、編集画像、撮影画像、描画画像、及びスタンプ画像を、利用者はいつでも閲覧することができる。従って、従来のように自作のノートに写真シールを貼り付けて持ち歩かなくとも、リモコン１０でいつでも編集画像を見ることができ、さらに編集した以上写真シールでは見ることができなかった編集前の撮影画像まで見ることが可能となる。
【０１０９】
また、ノートのように何度も見ることで写真シールが痛み色がかすれることや、月日の経過によって色合いが褪せてくるといったこともなく、いつでも綺麗な編集画像等を見ることができる。
【０１１０】
以上に説明した編集写真作成システム１により、利用者がゲームシーケンスで入手することが可能な、利用者の個人情報、画像データ、及び編集データの保存等が可能な機能を搭載した携帯可能な端末であるリモコン１０を、ゲーム開始時に写真シール作成装置２０が認識することができる。
【０１１１】
これにより、利用者はリモコン１０に保存した内容に応じたシナリオやアナウンスに沿ったプレイを体験でき、リモコン１０に保存した画像等のデータを写真シール作成装置２０へ呼び出して編集することができ、リピーターを確保することができる。
【０１１２】
例えば、初心者に対しては初心者用の案内アナウンスを音声や画面表示で流し、複雑になってきているゲームの理解を高め、撮影や編集を楽しみやすくする等、予め用意した複数段階の利用者レベルのうち該当する利用者レベルに沿ったプレイを提供することができる。
【０１１３】
また、利用者の個人情報としてリモコン１０に格納されている生年月日から、誕生日又は誕生日の前後の所定期間内に利用されると、「誕生日おめでとう！」とメッセージを表示することや、誕生日にのみ利用可能な編集アイテム（スタンプやペン）を利用可能にするといった特典を付けることができる。
【０１１４】
また、リモコン１０は、カウンターにて店員の接客により販売する、あるいは、自動販売機にて販売する等、適宜の方法で利用者に販売すると良い。
【０１１５】
また、リモコン１０を利用している利用者に対しては、編集処理（ステップｎ６）の中で、印刷処理（ステップｎ８）を行うか行わないか利用者が選択できるように設定しても良い。この場合、単に印刷処理を省略するか、印刷時間の分（若しくは予め定めた所定時間内で指定された時間）だけ編集時間を延長するか選択させると良い。
【０１１６】
これにより、急いでいる利用者は、時間のかかる印刷処理を省略してリモコン１０に画像データを保存し、後日に別途写真シールシートとして印刷するといったことができる。また、編集時間を長くして利用し、写真シールシートの印刷は別途行うということもでき、利用者は時間を有効活用することができる。
【実施例２】
【０１１７】
次に、実施例２について、図１９の処理フロー図と共に説明する。  
この実施例２は、リモコン１０を写真シール作成装置２０で発行できる構成としたものであり、リモコン１０及び写真シール作成装置２０で構成する編集写真作成システム１の構成及び動作は、リモコン確認処理（ステップｎ２）を除いて実施例１と同一であるため、同一部分の詳細な説明を省略する。
【０１１８】
リモコン確認処理を開始すると、制御装置２３は、図２０の画面イメージ図に示すように、モニタ２７にリモコン使用案内画面２７７を表示する（ステップｔ１）。
【０１１９】
リモコン使用案内画面２７７には、「リモコンは持ってる？」「リモコンには画像や個人情報を保存できるよ！」といったメッセージ表示を行ない、はいボタン２７７ａと、いいえボタン２７７ｂとを表示する。
【０１２０】
利用者がリモコン１０を所持していて、はいボタン２７７ａがタッチされた場合は、リモコン１０の接続を確認してリモコンフラグをＯＮに設定する（ステップｔ４）。
【０１２１】
利用者がリモコン１０を所持しておらず、いいえボタン２７７ｂがタッチされた場合には、リモコン１０の販売金額に該当するコインが投入されたか否かを判定する（ステップｔ３）。
【０１２２】
コインが投入された場合は、新しいリモコン１０を写真シール作成装置２０で発行してリモコンフラグをＯＮに設定し（ステップｔ４）、投入されなかった場合は、リモコン確認処理を終了する。
【０１２３】
この発行したリモコン１０は、いつでも取得可能となるように構成しても良いが、実施例１で図５に説明した画像データ保存処理（ステップｎ７）まではデータ通信可能に接続して保持しておき、画像データ保存処理（ステップｎ７）が終了後に写真シールシートと同様に放出することが望ましい。
【０１２４】
以上の構成及び動作により、ゲームシーケンスにリモコン１０の提供を取り入れ、利用者は写真シール作成装置２０でプレイ中にリモコン１０を購入することができ、予め買ってこなくてもリモコン１０を容易に入手して利用することができる。
【０１２５】
なお、リモコン１０の販売タイミング（コイン投入タイミング）は、編集処理（ステップｎ６）の終了後、若しくは印刷処理（ステップｎ８）の終了後に設定しても良い。
【０１２６】
この場合は、気に入った撮影画像や編集画像が得られた場合に、後からリモコン１０の購入を決定するといったことが可能となる。
【０１２７】
また、リモコン１０は、クレーンゲーム等のプライズの景品としても良い。この場合は、クレーンゲームでプライズとしてリモコン１０を獲得した利用者について、写真シール作成装置２０でプレイする確率が増加し、新たな利用者層を取り入れて顧客開拓することができる。
【実施例３】
【０１２８】
次に、実施例３について、図２１のシステム構成図、図２２のブロック図、及び図２３の処理フロー図と共に説明する。  
この実施例３は、サーバ５０に画像データを保存し、リモコン１０にはプレビュー用のサムネイル画像を保存する構成としたものである。
【０１２９】
図２１は、編集写真作成システム１のシステム構成図を示し、写真シール作成装置２０をインターネット３に接続すると共に、サーバ５０をインターネット３に接続している。
【０１３０】
サーバ５０はＷＥＢサーバとして機能するコンピュータで構成しており、ＣＰＵ、ＲＯＭ、及びＲＡＭで構成する制御装置、ハードディスクで構成する記憶装置、ＣＤ−ＲＯＭドライブやフレキシブルディスクドライブといった記憶媒体を処理する記憶媒体処理装置、ＣＲＴモニタ又は液晶モニタで構成する表示装置、マウス及びキーボードで構成する入力装置、及び、ＬＡＮボードで構成する通信装置を備えている。
【０１３１】
なお、サーバ５０の記憶装置には、画像データを格納する画像データベースを備えている。
【０１３２】
写真シール作成装置２０には、前述した実施例１，２の構成に加えて、図２２のブロック図に示すように、通信装置３４を備えている。
【０１３３】
他の構成については、前述した実施例１と同一であるので、同一要素に同一符号を付してその詳細な説明を省略する。
【０１３４】
次に、この実施例３における編集写真作成システム１の動作について、図２３に示す処理フロー図と共に説明する。ここで、編集写真作成システム１の動作は、画像データ保存処理（ステップｎ７）を除いて実施例１と同一であるため、同一部分の詳細な説明を省略する。
【０１３５】
画像データ保存処理を開始すると、制御装置２３はリモコンフラグがＯＮか否かを判定し（ステップｕ１）、ＯＮであれば図２４に示す保存要否選択画面２７８をモニタ２７に表示し、保存画像選択処理を実行する（ステップｕ２）。
【０１３６】
保存画像選択処理について説明すると、保存要否選択画面２７８には、アナウンス表示部２７８ａとして「データを保存する？」「保存しておくと、印刷できたり、便利だよ！」とサーバ５０へのデータ保存を促すメッセージを表示し、はいボタン２７８ｂと、いいえボタン２７８ｃを表示する。
【０１３７】
はいボタン２７８ｂがタッチされると、図２５の画面イメージ図に示す保存画像選択画面２７９を表示する。保存画像選択画面２７９では、保存可能画像２７９ａとして編集されなかった撮影画像も含めて編集画像を一覧表示し、利用者にタッチされた保存可能画像２７９ａをカーソル２７９ｂで選択表示する。
【０１３８】
ＯＫボタン２７９ｃがタッチされると選択を確定し、クリアボタン２７９ｄがタッチされると選択すべて解除する。
【０１３９】
このようにして保存する画像が選択されると、制御装置２３は、サーバ５０へデータを送信するデータ送信処理を実行する（ステップｕ３）。このとき送信するデータには、他の編集画像データと重複しないファイル名を付した編集画像データを設定しており、該編集画像データはレイヤ構造として撮影画像と描画画像を分離可能な状態で構成している。
【０１４０】
さらに制御装置２３は、編集画像データの解像度を落としたデータサイズの小さいサムネイル画像を作成し、サーバ５０に送信した際のファイル名と同一のファイル名をサムネイル画像に付してリモコン１０へ送信するデータ送信処理を実行する（ステップｕ４）。このときのサムネイル画像は、編集画像データの各レイヤである撮影画像データと描画画像データの両方について作成する。
【０１４１】
前記ステップｕ１でリモコンフラグがＯＦＦであった場合は、そのまま何もせず画像データ保存処理を終了する。
【０１４２】
以上の動作により図２６の保存データ説明図に示すように、写真シール作成装置２０で作成された編集画像（例えば非圧縮のＢＭＰ画像でデータサイズ３００ＫＢｙｔｅ）を、サーバ５０の画像データベースにそのままのデータサイズ（この場合は非圧縮のＢＭＰ画像で３００ＫＢｙｔｅ）で保存し、リモコン１０にはデータサイズを小さくしたサムネイル画像（例えば圧縮したＪＰＥＧ画像でデータサイズ３ＫＢｙｔｅ）を保存することができる。
【０１４３】
従って、リモコン１０には画像表示装置１３で表示可能な解像度に合わせて圧縮してデータサイズを縮小したサムネイル画像を多量に保存し、利用者はいつでも閲覧することができる。
【０１４４】
サーバ５０には、リモコン１０の編集画像データと同一のファイル名で高解像度の編集画像データを格納しているため、利用者が編集画像（若しくはそのレイヤである撮影画像や描画画像）を印刷したい場合には、サーバ５０にアクセスして高解像度の編集画像データを取得し、これを印刷した美しい写真シールシートを取得することができる。
【０１４５】
なお、サムネイル画像は画像解像度を低くすることでデータサイズを小さくして作成する設定としたが、元の画像の一部分を切り抜くことでデータサイズを小さくする構成としても良い。この場合は、例えば元画像は全身を撮影した画像で、サムネイル画像は顔部分の周辺だけを切り出した画像とすることができる。
【実施例４】
【０１４６】
次に、実施例４について、図２７の処理フロー図と共に説明する。  
この実施例４は、リモコン１０からデータを読み込み写真シール作成装置２０でスタンプアイテムとして利用可能な構成としたものである。リモコン１０及び写真シール作成装置２０で構成する編集写真作成システム１の構成及び動作は、編集前処理（ステップｎ５）を除いて実施例１と同一であるため、同一部分の詳細な説明を省略する。
【０１４７】
編集前処理を開始すると、制御装置２３は、リモコンフラグがＯＮか否かを判定し（ステップｖ１）、ＯＦＦであった場合にはそのまま何もせずに編集前処理を終了する。
【０１４８】
リモコンフラグがＯＮであった場合は、図２８のイメージ図に示すように、リモコン１０のスタンプアルバムに登録されているスタンプ画像１３１ｄのデータを読み込むスタンプ画像読込処理を実行する（ステップｖ２）。
【０１４９】
制御装置２３は、図２９の画面イメージ図に示す使用スタンプ選択画面２８０をモニタ２７に表示し、リモコン１０から読み込んだスタンプ画像２８０ａの一部を一覧表示し、タッチさせることでカーソル表示２８０ｂを行って選択させる。次へボタン２８０ｃは、表示しきれていないスタンプ画像を順次表示していくためのボタンである。
【０１５０】
このようにしてスタンプ画像が選択されると、制御装置２３は選択されたスタンプ画像を今回のゲームに限り編集処理（ステップｎ６）で使用可能なスタンプとして登録し、編集前処理を終了する。
【０１５１】
以上の動作により、利用者は適宜の方法でリモコン１０に登録したスタンプ画像を利用して写真シール作成装置２０で編集処理（ステップｎ６）を行うことができ、オリジナル性の高い編集画像を作成することができる。
【０１５２】
なお、編集処理で利用可能に登録するスタンプ画像には、リモコン１０のスタンプアルバム内に格納されたスタンプ画像データだけでなく、撮影アルバム内の撮影画像データ、描画アルバム内の描画画像データ等、他の画像データを登録可能に設定しても良い。
【０１５３】
これにより、利用者は以前に撮影した自己の撮影画像をスタンプとして利用するといったこともでき、編集処理のアミューズメント性を一層向上することができる。
【０１５４】
また、リモコン１０のスタンプアルバム内には、スタンプツール用のスタンプ画像だけでなく、ペンツール用のペン画像や背景描画用の背景画像等、複数種類のアイテム画像を保存可能に構成し、該アイテム画像を写真シール作成装置２０へ送信して編集処理にて利用可能に設定しても良い。  
これにより、スタンプ画像を含めて様々なアイテム画像を編集処理で利用でき、編集処理でのアミューズメント性をより高めることができる。
【０１５５】
なお、以上の各実施形態においては、リモコン認識処理（ステップｎ２）、撮影前処理（ステップｎ３）、編集前処理（ステップｎ５）、画像データ保存処理（ステップｎ７）の１つ又は複数を、他の実施形態に置換しても良い。
【０１５６】
これにより、様々なバリエーションの編集写真作成システム１を提供することができる。
【０１５７】
また、各実施形態において、撮影前処理（ステップｎ３）、編集前処理（ステップｎ５）、画像データ保存処理（ステップｎ７）のうち１つの処理又は２つの処理を削除する構成としても良い。これにより、リモコン１０を使用してシンプルな構成の編集写真作成システム１を提供することができる。
【０１５８】
また、写真シール作成装置２０のコネクタ３５を複数備えても良い。この場合は、複数人の利用者が各自のリモコン１０を接続し、各自のリモコン１０に画像データを登録する、各自のリモコン１０からスタンプ画像を読み取るといったことができる。
【０１５９】
またこの場合、シナリオ設定に必要な編集スキルに関しては、最も高い利用者に合わせる、平均にあわせる、最も低い利用者に合わせる、又は利用者に選択させるように設定すればよい。
【０１６０】
他にも、各自のリモコン１０から画像データを写真シール作成装置２０に登録し、写真シール作成装置２０を介して画像データをリモコン１０間で交換することも可能となる。
【０１６１】
また、リモコン１０の接続部１６と写真シール作成装置２０のコネクタ３５に替えて、赤外線通信や電波通信等の適宜の無線通信手段をそれぞれに備えても良い。これにより、利用者が手でリモコン１０を写真シール作成装置２０に接続する必要が無くなり、利便性を向上することができる。
【０１６２】
また、図２２に仮想線で示すように、２以上のリモコン１０が互いにデータを送受信可能な通信手段として端末間通信装置１８をリモコン１０に備え、記憶装置１２に記憶している任意のデータあるいは全てのデータを送受信可能に構成しても良い。
【０１６３】
この場合、端末間通信装置１８は、物理的に接続する接続コネクタ、又は赤外線や電波により無線でデータを送受信する無線通信装置等で構成することができる。  
またデータを送信する処理としては、送信データを選択する選択処理を設定することができる。
【０１６４】
これにより、利用者は互いにリモコン１０を持ち寄って画像データを交換することができ、従来のように写真シールの数に制限されずに何度でも交換することができる。
【０１６５】
また、自作のノートに貼り付けた閲覧用の写真シールとは別に交換用の写真シール（台紙からシール部分を剥がしていない写真シール）を持ち歩く必要もなく、いつでも画像データを交換することができる。
【０１６６】
なお、画像データの交換は、例えば１日３つまで交換可能といったように所定期間で所定個数に制限する、あるいは、１つの画像データについて５回まで交換可能といったように所定回数に制限する設定としても良い。
【０１６７】
この場合、交換可能個数又は交換可能回数が解るように、交換可能残数表示や交換可否表示を画像表示装置１３上に行なう設定とすると良い。
【０１６８】
このように設定することにより、利用者は交換する画像データを慎重に選択することとなり、画像データの価値を高めることができる。また、一括して大量の画像データを交換することはできなくなるため、記憶装置１２に記憶可能なデータ容量をすぐに越えてしまうことを防止することができる。
【０１６９】
またこの場合も、自作のノートに貼り付けた閲覧用の写真シールとは別に交換用の写真シールを持ち歩く必要がなく、いつでも画像データを交換することができる。
【０１７０】
この発明の構成と、上述の実施形態との対応において、
この発明の写真撮影編集システムは、実施形態の編集写真作成システム１に対応し、
以下同様に、
携帯確認端末は、リモコン１０に対応し、
画像変換手段は、ステップｕ４を実行する制御装置１１に対応し、
記憶手段は、記憶装置１２に対応し、
表示手段は、画像表示装置１３に対応し、
入力手段は、入力装置１４に対応し、
端末側通信手段は、接続部１６に対応し、
写真撮影編集装置は、写真シール作成装置２０に対応し、
編集手段は、入力装置２４に対応し、
撮影手段は、カメラ２５に対応し、
写真撮影編集側通信手段は、コネクタ３５に対応し、
撮影処理は、ステップｎ４に対応し、
編集処理は、ステップｎ６に対応し、
通信処理は、ステップｎ７に対応し、
編集用画像は、スタンプ画像に対応し、
所定の画像は、撮影画像、編集画像、描画画像、及びアイテム画像に対応し、
受信画像は、リモコン１０の記憶装置１２に格納していた撮影画像データ又は／及び編集画像データに対応するも、
この発明は、上述の実施形態の構成のみに限定されるものではなく、多くの実施の形態を得ることができる。
【図面の簡単な説明】
【０１７１】
【図１】編集写真作成システムのシステム構成図。
【図２】リモコンの平面図。
【図３】編集写真作成システムの構成を示すブロック図。
【図４】データ構成図。
【図５】写真シール作成装置の制御装置の全体動作を示す処理フロー図。
【図６】リモコン確認処理の処理フロー図。
【図７】撮影前処理の処理フロー図。
【図８】読込データのイメージ説明図。
【図９】オーロラペン選択画面の画面イメージ図。
【図１０】編集アルバムに格納しているデータ量のイメージ図。
【図１１】編集前処理の処理フロー図。
【図１２】編集画像選択画面の画面イメージ図。
【図１３】リモコンデータの編集画面の画面イメージ図。
【図１４】画像データ保存処理の処理フロー図。
【図１５】データ転送中通知画面の画面イメージ図。
【図１６】リモコンの動作を示す処理フロー図。
【図１７】初期メニュー画面の画面イメージ図。
【図１８】個人情報表示画面の画面イメージ図。
【図１９】実施例２のリモコン確認処理の処理フロー図。
【図２０】リモコン使用案内画面の画面イメージ図。
【図２１】実施例３の編集写真作成システムのシステム構成図。
【図２２】編集写真作成システムのブロック図。
【図２３】編集写真作成システムの処理フロー図。
【図２４】保存要否選択画面の画面イメージ図。
【図２５】保存画像選択画面の画面イメージ図。
【図２６】スタンプ画像の保存データイメージ説明図。
【図２７】実施例４の編集前処理の処理フロー図。
【図２８】データイメージ図。
【図２９】使用スタンプ選択画面の画面イメージ図。
【符号の説明】
【０１７２】
１…編集写真作成システム
１０…リモコン
１１…制御装置
１２…記憶装置
１３…画像表示装置
１４…入力装置
１６…接続部
２０…写真シール作成装置
２４…入力装置
２５…カメラ
３５…コネクタ
【図１】
2005277634.tif 000003
【図２】
2005277634.tif 000004
【図３】
2005277634.tif 000005
【図４】
2005277634.tif 000006
【図５】
2005277634.tif 000007
【図６】
2005277634.tif 000008
【図７】
2005277634.tif 000009
【図８】
2005277634.tif 000010
【図９】
2005277634.tif 000011
【図１０】
2005277634.tif 000012
【図１１】
2005277634.tif 000013
【図１２】
2005277634.tif 000014
【図１３】
2005277634.tif 000015
【図１４】
2005277634.tif 000016
【図１５】
2005277634.tif 000017
【図１６】
2005277634.tif 000018
【図１７】
2005277634.tif 000019
【図１８】
2005277634.tif 000020
【図１９】
2005277634.tif 000021
【図２０】
2005277634.tif 000022
【図２１】
2005277634.tif 000023
【図２２】
2005277634.tif 000024
【図２３】
2005277634.tif 000025
【図２４】
2005277634.tif 000026
【図２５】
2005277634.tif 000027
【図２６】
2005277634.tif 000028
【図２７】
2005277634.tif 000029
【図２８】
2005277634.tif 000030
【図２９】
2005277634.tif 000031